(57)【要約】【課題】裁断システム２０における裁断動作の進捗状況を知ること。【解決手段】裁断装置１０と、裁断線情報に従って裁断装置１０を制御して媒体１７０を裁断させる情報処理装置１００と、情報処理装置１００から出力された画像情報を表示する表示装置２００とを備えた裁断システム２０において、情報処理装置１００で実行される裁断システム制御プログラムであって、裁断線情報に基づいた裁断線画像２２２を表示装置２００に表示させる裁断線表示ステップと、裁断装置１０の動作に従って媒体１７０上でカッタ１３２により既に切断された区間を示す既裁断区間情報を逐次生成して、既裁断区間情報に基づく既裁断区間画像２２４を表示装置２００に逐次表示させる既裁断区間表示ステップとを含む。【選択図】図４
2007125627.tif 000002
【特許請求の範囲】
【請求項１】
媒体を所定の搬送方向に搬送する搬送部、前記媒体の表面に対向した位置で前記媒体の表面と平行に且つ前記搬送方向と交差する方向に往復移動する裁断キャリッジ、および、前記媒体に対して進退できるように前記裁断キャリッジに保持された切刃を有する裁断装置と、
前記切刃により前記媒体を裁断する位置を指定する裁断線情報に従って前記裁断装置を制御して前記媒体を裁断させる制御装置と、
前記制御装置から出力された画像情報を画像として表示する表示装置と
を備えた裁断システムにおいて、前記制御装置で実行される裁断システム制御プログラムであって、
前記裁断線情報に基づいた裁断線画像を前記表示装置に表示させる裁断線表示ステップと、
前記裁断装置の動作に従って前記媒体の上で前記切刃により既に切断された区間を示す既裁断区間情報を逐次生成し、前記既裁断区間情報に基づく既裁断区間画像を前記表示装置に逐次表示させる既裁断区間表示ステップと
を含む裁断システム制御プログラム。
【請求項２】
前記裁断装置の動作を停止すべき旨を指示する停止指示を受け付ける停止指示オブジェクトを前記裁断線画像および前記既裁断区間画像と共に前記表示装置に表示させ、前記停止指示オブジェクトに前記停止指示を受けたときに前記裁断装置の動作を停止させる停止指示受付ステップを更に含む請求項１に記載の裁断システム制御プログラム。
【請求項３】
前記停止指示を受け付けたときに、前記切刃を前記媒体から退避させ、次いで、前記裁断キャリッジを前記媒体に対向する領域から退避させる退避ステップを更に含む請求項２に記載の裁断システム制御プログラム。
【請求項４】
前記停止指示を受け付けたときに、そのときの前記媒体および前記切刃の停止位置を格納し、前記停止指示が解除されたときに、前記媒体および前記切刃を前記停止位置まで移動させた後に前記裁断装置の動作を再開させる一時停止ステップを更に含む請求項２または請求項３に記載の裁断システム制御プログラム。
【請求項５】
前記停止指示が解除されたときに前記媒体が前記裁断装置から取り除かれていた場合は、前記一時停止ステップが、前記媒体を前記裁断装置に装入すべき旨のメッセージと、前記媒体を装入する向きとを、前記表示装置に表示させる請求項４に記載の裁断システム制御プログラム。
【請求項６】
媒体を所定の搬送方向に搬送する搬送部、前記媒体の表面に対向した位置で前記媒体の表面と平行に且つ前記搬送方向と交差する方向に往復移動する裁断キャリッジ、および、前記媒体に対して進退できるように前記裁断キャリッジに保持された切刃を有する裁断装置と、
前記切刃により前記媒体を裁断する位置を指定する裁断線情報に従って前記裁断装置を制御して前記媒体を裁断させる制御装置と、
前記制御装置から出力された画像情報を画像として表示する表示装置と
を備えた裁断システムにおいて、前記制御装置により実行される裁断システム制御方法であって、
前記裁断線情報に基づいた裁断線画像を前記表示装置に表示させる裁断線表示手順と、
前記裁断装置の動作に従って前記媒体の上で前記切刃により既に切断された区間を示す既裁断区間情報を逐次生成し、前記既裁断区間情報に基づく既裁断区間画像を前記表示装置に逐次表示させる既裁断区間表示手順と
を含む裁断システムの制御方法。
【発明の詳細な説明】
【技術分野】
【０００１】
本発明は、裁断システム制御プログラムおよび制御方法に関する。より詳細には、切刃を備えた裁断装置、裁断装置の動作を制御する制御装置、制御装置により画像を表示される表示装置を含む裁断システムにおいて、制御装置上で実行される裁断システム制御プログラムおよび制御方法に関する。
【背景技術】
【０００２】
紙、布、樹脂フィルム等のシート状の媒体に対して、所望の形状の裁断線情報に従って切片を切り出しあるいは切り込みをいれる裁断動作をするカッティング・マシンあるいはカッティング・プロッタ等と呼ばれる裁断装置がある。裁断装置は、切刃の方向および媒体に対する高さを変化させることができるカッタヘッドを備え、媒体に対してカッタヘッドを相対移動させることにより媒体に対する裁断動作をする。
【０００３】
また、この種の裁断装置は、何らかの制御装置の制御により動作している。制御装置は、裁断装置に内蔵されている場合もあるが、多くは裁断装置の外部に接続された情報処理装置等を制御装置として利用する。また、このような用途で用いる情報処理装置は、裁断線情報の生成処理および編集処理にも用いられることが多く、そのような処理に利用するために画像を表示する表示装置を備えている。従って、これら裁断装置、制御装置および表示装置を組み合わせて裁断システムが構築される。
【０００４】
特許文献１には、上記のような裁断システムで用い得る裁断装置が開示されている。この文献に記載された裁断装置は、Ｘ軸方向に走行するテーブルにより搬送される布地に対して、Ｘ軸と直交するＹ軸方向に往復移動する主軸頭を備えている。また、テーブルによるＸ方向への搬送と主軸頭のＹ方向の往復移動を組み合わせて、主軸頭により布地全体を走査することができる。従って、主軸頭にナイフ（カッタ）を装着して布地上で適切な形状を描かせることにより、布地から所望の形状の裁断片を切り出すことができる。
【０００５】
また、特許文献２には、やはりシート状の媒体から所望の裁断片を切り出すことができる作画・カッティング両用プロッタが記載されている。この作画・カッティング両用プロッタも、往復移動する作画ヘッドと、作画ヘッドの往復移動方向に直交する方向に媒体を搬送するローラ群とを備え、媒体の全面に対して作画ヘッドを走査させることができる。従って、作画ヘッドに筆記用具を装着した場合は媒体上に所望の図形を記録することができ、作画ヘッドに刃物を装着した場合は媒体から所望の形状の裁断片を切り出すことができる。また、この特許文献２では、作画・カッティング両用プロッタをホストコンピュータに接続して裁断システムを形成することについても言及されている。
【特許文献１】特公平７−９０５１１号公報
【特許文献２】特開２００１−２２５２９７号公報
【発明の開示】
【発明が解決しようとする課題】
【０００６】
ところで、裁断システムにおける裁断装置の動作中に、裁断の進捗状況をユーザが知りたい場合がある。即ち、例えば、現在裁断中の処理について、動作の終了を予測するために進捗状況を知りたい場合がある。また、ひとつの媒体から複数の切片を切り出す裁断動作を中断させる場合は、ひとつの切片を裁断し終わった時点で裁断装置の動作を止めることが好都合である。そのためには、裁断装置の動作を監視して、ひとつの切片を裁断し終わったときをリアルタイムで検知しなければならない。
【０００７】
しかしながら、多くの裁断装置では、安全性の見地から、切刃が装置の外側に露出しない構造になっている。このため、動作中の裁断装置において裁断動作の進捗状況を目視することは難しい。
【課題を解決するための手段】
【０００８】
そこで、上記課題を解決するために、本発明の第１の形態として、媒体を所定の搬送方向に搬送する搬送部、媒体の表面に対向した位置で媒体の表面と平行に且つ搬送方向と交差する方向に往復移動する裁断キャリッジ、および、媒体に対して進退できるように裁断キャリッジに保持された切刃を有する裁断装置と、切刃により媒体を裁断する位置を指定する裁断線情報に従って裁断装置を制御して媒体を裁断させる制御装置と、制御装置から出力された画像情報を画像として表示する表示装置とを備えた裁断システムにおいて、制御装置で実行される裁断システム制御プログラムであって、裁断線情報に基づいた裁断線画像を表示装置に表示させる裁断線表示ステップと、裁断装置の動作に従って媒体上で切刃により既に切断された区間を示す既裁断区間情報を逐次生成して、既裁断区間情報に基づく既裁断区間画像を表示装置に逐次表示させる既裁断区間表示ステップとを含む裁断システム制御プログラムが提供される。これにより、裁断装置が裁断動作をしているときは、裁断線上ですでに裁断された区間が表示装置に表示される。また、この表示は裁断動作の進捗に従って逐次更新されるの。従って、ユーザは、裁断動作の進捗状況を容易に把握できる。
【０００９】
また、ひとつの実施形態によると、上記裁断システムの制御プログラムは、裁断装置の動作を停止すべき旨を指示する停止指示を受け付ける停止指示オブジェクトを、裁断線画像および既裁断区間画像と共に表示装置に表示させ、停止指示オブジェクトに停止指示を受けたときに裁断装置の動作を停止させる停止指示受付ステップを更に含んでいてもよい。これにより、進捗状況を表示装置の画面上で監視しながら、適切な状態で裁断動作を中断あるいは終了させることができる。
【００１０】
また、他の実施形態によると、上記裁断システムの制御プログラムは、停止指示を受け付けたときに、切刃を媒体から退避させ、次いで、裁断キャリッジを媒体に対向する領域から退避させる退避ステップを更に含んでいてもよい。これにより、裁断動作を中断させると、裁断中の媒体を安全かつ容易に取り出すことができる。
【００１１】
また、他の実施形態によると、上記裁断システムの制御プログラムは、停止指示を受け付けたときに、そのときの媒体および切刃の停止位置を格納して、停止指示が解除されたときに、媒体および切刃を停止位置まで移動させた後に裁断装置の動作を再開させる一時停止ステップを更に含んでいてもよい。これにより、途中で中断させた裁断動作を、中断させた箇所から継続して再開させることができる。従って、中断以前に実行された裁断が無駄にならない。
【００１２】
また、他の実施形態によると、上記裁断システムの制御プログラムにおいて、停止指示が解除されたときに媒体が裁断装置から取り除かれていた場合は、一時停止ステップが、裁断装置に媒体を装入すべき旨のメッセージと、媒体を装入する向きとを、表示装置に表示させてもよい。これにより、媒体無しに裁断動作が再開されることがない。また、誤って中断前と異なる向きに媒体を装入することが未然に防止される。
【００１３】
更に、本発明の第２の形態として、媒体を所定の搬送方向に搬送する搬送部、媒体の表面に対向した位置で媒体の表面と平行に且つ搬送方向と交差する方向に往復移動する裁断キャリッジ、および、媒体に対して進退できるように裁断キャリッジに保持された切刃を有する裁断装置と、切刃により媒体を裁断する位置を指定する裁断線情報に従って裁断装置を制御して媒体を裁断させる制御装置と、制御装置から出力された画像情報を画像として表示する表示装置とを備えた裁断システムにおいて、制御装置により実行される裁断システム制御方法であって、裁断線情報に基づいた裁断線画像を表示装置に表示させる裁断線表示手順と、裁断装置の動作に従って媒体上で切刃により既に切断された区間を示す既裁断区間情報を逐次生成して、既裁断区間情報に基づく既裁断区間画像を表示装置に逐次表示させる既裁断区間表示手順とを含む裁断システムの制御方法が提供される。これにより、裁断システムを形成するハードウェアの構成にかかわらず、上記発明の効果を享受することができる。
【００１４】
なお、上記の発明の概要は、本発明の必要な特徴の全てを列挙したものではない。これらの特徴群のサブコンビネーションもまた発明となり得る。
【発明を実施するための最良の形態】
【００１５】
以下、発明の実施の形態を通じて本発明を説明するが、以下の実施形態は特許請求の範囲にかかる発明を限定するものではない。また実施形態の中で説明されている特徴の組み合わせの全てが発明の解決手段に必須であるとは限らない。
【００１６】
図１は、裁断システム制御プログラムの制御対象となる裁断システムで使用できる裁断装置１０の全体形状を示す斜視図である。同図に示すように、この裁断装置１０は、直接に媒体１７０の裁断にあたる機構を納めた筐体１８０と、筐体１８０の前方に装着された装入トレイ１６０と、筐体１８０の後方に装着された排出トレイ１１０とを備えている。この実施形態では、装入トレイ１６０から装入された媒体１７０に対して、筐体１８０の内部で裁断加工した後、裁断後の媒体１７０を排出トレイ１１０に送り出すものとするが、裁断後の媒体１７０を再び装入トレイ１６０に戻すように動作させることもできる。なお、ひとつの媒体１７０に対する裁断動作が終了するまでの間に、媒体１７０の搬送方向が反転する場合もある。
【００１７】
筐体１８０の内部には、装入トレイ１６０から媒体１７０を取り込み、更に図中に矢印Ｙで示す搬送方向に搬送する裁断搬送部と、後述する裁断キャリッジ１３０の下方で媒体１７０を裁断する裁断部と、裁断部の後方に配置されて媒体１７０を排出トレイ１１０に送り出す排出部とを含む内部機構が収容されている。これら内部機構のうち、裁断搬送部の一部である搬送従動ローラ１４２と、裁断部とが図１上に見えている。
【００１８】
搬送従動ローラ１４２は、媒体１７０の下に隠れている搬送ローラに対して媒体１７０を押し付けている。搬送ローラは回転駆動され、自身に押し付けられた媒体１７０を、後方の裁断プラテン１５０上に取り込む。裁断プラテン１５０は、水平で略平坦な上面を有し、載せられた媒体１７０を下方から支持して、その鉛直方向の位置決めを担う。
【００１９】
裁断プラテン１５０の上方には裁断部が形成されている。裁断部は、媒体１７０の搬送方向と直交する方向に水平に配置された、互いに平行な案内レール１２０、１２２と、挿通された案内レール１２０、１２２に沿って往復移動する裁断キャリッジ１３０とを備えている。図中には、この往復移動方向が矢印Ｘにより示されている。
【００２０】
裁断キャリッジ１３０は、図示されていない駆動機構により、案内レール１２０、１２２に沿って水平に往復移動する。裁断キャリッジ１３０の下面には、カッタ１３２が装着されている。カッタ１３２は、裁断キャリッジ１３０に対して相対的に上下に移動できる。従って、裁断プラテン１５０上に位置する媒体１７０に向かってカッタ１３２を降下させることにより、カッタ１３２下端を媒体１７０に貫入させることができる。更に、カッタ１３２を媒体１７０に貫入させた状態で、媒体１７０の搬送および裁断キャリッジ１３０の往復移動を組み合わせて、裁断キャリッジ１３０および媒体１７０を相対移動させることにより、任意の形状の裁断線に従って媒体１７０を裁断できる。
【００２１】
なお、この実施形態では説明の便宜上、裁断装置１０に対して媒体１７０を図中の手前側から装入し、裁断装置１０後方の排出トレイ１１０に排出するように記載している。しかしながら、媒体１７０から裁断領域を切り出すには、少なくとも裁断領域の搬送方向の長さだけは媒体１７０を往復させなければならない。従って、裁断搬送部は、図中に矢印Ｙで示す方向に、媒体１７０を往復移動させることができる。このため、最終的に切断された媒体１７０は、前方の装入トレイ１６０に戻して排出することもできる。
【００２２】
図２は、図１に示した裁断装置１０を含む裁断システム２０の構造を模式的に示す図である。同図に示すように、この裁断システム２０は、裁断装置１０に対して、制御装置としての情報処理装置１００を接続して形成されている。また、情報処理装置１００は、表示装置２００共に、ユーザからの入力手段であるキーボード１０２およびマウス１０４と、ユーザに対して画像を表示する画面２１０を有する表示装置２００を備えている。また、この情報処理装置１００は、記録媒体に対して情報を読み書きするディスクドライブ１０６、外部と通信することにより情報をやりとりできる通信回線（不図示）も備えている。従って、ディスクドライブ１０６に装入した記録媒体、通信回線等を介して、裁断システム制御プログラムを情報処理装置１００にインストールすることにより、情報処理装置１００は、裁断システム２０の制御装置として、システム全体を稼働させられるようになる。
【００２３】
なお、ここで用いられている裁断装置１０は、図１に示した裁断装置１０であるが、図中に示すように、筐体１８０の上面および正面の中央部をカバー１８２により覆われており、裁断キャリッジ１３０等の内部機構は外部から見えなくなっている。また、安全性の見地から、このカバー１８２を開くと裁断装置１０は動作を停止する。
【００２４】
上記のような裁断システム２０において、ユーザは、情報処理装置１００を操作して、媒体１７０を裁断するときのカッタ１３２の軌跡である裁断線を作成して、また編集することができる。また、情報処理装置１００を介して、裁断装置１０に動作を指示することができる。
【００２５】
図３は、図２に示した裁断システム２０における情報処理装置１００上で実行される処理を説明する流れ図Ｆ１００である。同図に示すように、ユーザから裁断処理の実行が指示されると（開始）、情報処理装置１００は裁断装置１０に指示を出して、カッタ１３２が裁断開始位置上に位置するように、裁断キャリッジ１３０を裁断開始位置まで移動させる（Ｓ１０１）。続いて、カッタ１３２を降下させて、カッタ１３２の下端を媒体１７０に貫入させる（Ｓ１０２）。
【００２６】
次に、裁断線情報の一部区間を裁断させる指示を裁断装置１０に送り（Ｓ１０３）、この一部区間において媒体１７０を裁断させる。このとき、裁断装置１０の裁断キャリッジ１３０を移動させることにより、カッタ１３２はＸ方向に移動して媒体１７０を裁断する。また、搬送部および排出部を動作させて媒体１７０を搬送方向に移動させることにより、カッタ１３２はＹ方向に媒体１７０を裁断できる。更に、これらの動作を組み合わせることにより、カッタ１３２は媒体１７０を任意の方向に裁断できる。
【００２７】
裁断装置１０は、情報処理装置１００から指示された一部区間の裁断を終えると、裁断済みの応答を情報処理装置１００に返す（Ｓ１０４）。応答を受けた情報処理装置１００は、裁断線上で裁断が終わった区間の情報である既裁断区間情報を生成する（Ｓ１０５）。更に、情報処理装置１００は、この既裁断区間情報を表示装置２００の画面２１０上に表示させる（Ｓ１０６）。こさらステップＳ１０３〜Ｓ１０６までの一連の動作により、既に切断が終了した区間が表示装置２００に表示されるので、ユーザは、裁断動作中に既に裁断された区間をリアルタイムで知ることができる。
【００２８】
更に、情報処理装置１００は、既裁断区間情報を表示させ終わると、裁断線情報に、まだ裁断されていない区間が残っているか否かを検査する（Ｓ１０７）。ここで、裁断線に未裁断の区間が残っている場合は（Ｓ１０７：ＹＥＳ）、再び、Ｓ１０３からＳ１０７までの動作を繰り返す。これにより、裁断動作の進行と共に既裁断区間情報は逐次更新されていく。なお、ステップＳ１０７：ＹＥＳからステップＳ１０３に戻るときに、一時停止処理（Ｓ２００）を間挿することができるが、このステップＳ２００の内容については、図５に示すフローチャートＦ２００を参照して後述する。
【００２９】
一方、もはや未裁断区間が残っていない場合は（Ｓ１０７：ＮＯ）、カッタ１３２を上昇させて媒体１７０から先端を抜き取ると共に（Ｓ１０８）、媒体１７０に対して裁断すべき旨を指示する他の裁断線情報があるか否かを検査する（Ｓ１０９）。この検査により他の裁断線情報が検出された場合は、ステップＳ１０１からの動作を再び繰り返す（Ｓ１０９：ＹＥＳ）。一方、他の裁断線情報が存在しなかった場合は、裁断キャリッジ１３０をホームポジョンに復帰させ（Ｓ１１０）、裁断装置１０の一連の裁断動作を終了させる（終了）。
【００３０】
図４は、上記一連の動作のうち、ステップＳ１０６における画面２１０上の表示例を示す図である。画面２１０上には、裁断情報表示領域２１４および操作ボタン表示領域２１６を含むウインドウ２１２が表示されている。
【００３１】
裁断情報表示領域２１４全体は、媒体１７０の全体に対応している。また、この実施形態では、媒体１７０上に記録された２つの切り抜き画像２２０、２２１も併せて表示されている。一方、操作ボタン表示領域２１６には、裁断動作の一時停止を指示するための「一時停止」ボタン２１７および裁断動作自体の取消を指示する「キャンセル」ボタン２１８が表示されている。
【００３２】
以上のように表示されたウインドウ２１２において、裁断情報表示領域２１４には、各切り抜き画像２２０、２２１の周囲を一巡して裁断することが指示されている旨が裁断線画像２２２により表示されている。また、切り抜き画像２２０については、図中では点線により表示されている裁断線画像２２２上の一部区間が、太い実線である既裁断区間画像２２４に置き換わって表示されている。この既裁断区間画像２２４は、前記したステップＳ１０４で生成された既裁断区間情報に基づいて情報処理装置１００が表示装置２００に表示させている。これにより、この画面２１０を見たユーザは、媒体１７０上で、切り抜き画像２２０の周囲の裁断線画像２２２上で、その一部区間が既に切断されたことが判る。
【００３３】
また、前述のように、既裁断区間画像２２４は、裁断装置１０の動作に従って逐次更新される。図４に示した例では、画面２１０上の既裁断区間画像２２４は、図中に矢印Ｚで示す方向に伸びてゆく。従って、例えば、切り抜き画像２２０の周囲が切断されたときに「一時停止」ボタン２１７を押すことにより、切り抜き画像２２０は完全に切り抜かれている一方、切り抜き画像２２１の周囲は全く裁断されていない状態で裁断動作を中断させることができる。
【００３４】
なお、画面２１０上において、裁断線画像２２２は表示させなければならないわけではない。また、表示させる場合も、点線に限られるわけではなく、彩度または明度をバックグラウンドと相違させたものを任意に選択できる。また、既裁断区間画像２２４も、バッググラウンドおよび表示されている場合の裁断線画像２２２と区別がつくものであれば、任意の表示形態を選択することができる。
【００３５】
図５は、図３に示したフローチャートＦ１００において、プロセスがステップＳ１０７：ＹＥＳからステップＳ１０３に戻るときに間挿させることができる一時停止処理Ｓ２００の内容を示すフローチャートＦ２００である。同図に示すように、一時停止処理Ｓ２００が実装されている場合は、裁断装置１０において動作中の裁断動作を一時停止すべき旨の指示が入力されたか否かを監視するイベントループが有効になっている（Ｓ２０１：ＮＯ）。
【００３６】
一方、情報処理装置１００に対して一時停止すべき旨の指示が入力されたことが検知された場合（Ｓ２０１：ＹＥＳ）、情報処理装置１００は、まず、裁断装置１０に裁断を停止すべき旨の指示を出す（Ｓ２０２）。次に、情報処理装置１００は、裁断装置１０において裁断動作が停止したときのカッタ１３２の位置を、中断（再開）位置情報として格納する（Ｓ２０３）。また、裁断装置１０の媒体１７０搬送路上の媒体１７０の位置も、中断（再開）位置情報として格納する（Ｓ２０４）。これらの、言わば再開準備処理をした後、情報処理装置１００は、裁断装置１０に対して、カッタ１３２を上昇させ（Ｓ２０５）、さらに、裁断キャリッジ１３０をホームポジションに復帰させる（Ｓ２０６）。このように、情報処理装置１００は、裁断動作を一時停止すべき旨の指示を受けた場合は、来るべき裁断動作再開の指示に備える。
【００３７】
上記のように裁断システム２０における裁断動作が一時停止されると、情報処理装置１００では、裁断動作を再開すべき旨の指示が入力されたか否かを監視するイベントループが有効になる（Ｓ２０７：ＮＯ）。ここで、情報処理装置１００に対して裁断動作を再開すべき旨の指示が入力されると（Ｓ２０７：ＹＥＳ）、情報処理装置１００は、裁断装置１０に裁断すべき媒体１７０が存在しているかどうかを検査する（Ｓ２０８）。媒体１７０が存在していなかった場合（Ｓ２０８：ＮＯ）、情報処理装置１００は、媒体１７０を装入すべき旨をメッセージにして表示装置２００の画面２１０に表示して、媒体１７０が装入されることを待つ（Ｓ２０９）。
【００３８】
一方、裁断装置１０に媒体１７０が存在していた場合、情報処理装置１００は、格納されていた中断（再開）位置情報を参照して、媒体１７０が裁断動作を一時停止したときの位置にあるか否かを検査する（Ｓ２１０）。媒体１７０が中断（再開）位置になかった場合は（Ｓ２１０：ＮＯ）、裁断装置１０の搬送部および排出部を動作させて、媒体１７０を中断（再開）位置まで搬送させる（Ｓ２１１）。こうして、当初より媒体１７０が中断（再開）位置にあった場合（Ｓ２１０：ＹＥＳ）も含め、裁断装置１０内において、ここまでの動作により媒体１７０は裁断動作が一時停止された時点での位置に存在するようになる。
【００３９】
次に、情報処理装置１００は、格納しておいた中断（再開）位置情報を参照して、裁断キャリッジ１３０を、中断（再開）位置に戻す（Ｓ２１２）。さらに、カッタ１３２を降下させる（Ｓ２１３）ことにより、裁断装置１０では、裁断動作が中断されたときの状態を復元することができる。従って、一時停止されていた裁断動作を継続して実行することができる。
【００４０】
なお、上記のような一連の一時停止処理Ｓ２００が実装されていなくても、裁断装置１０による裁断動作を実行することはできる。しかしながら、裁断動作を途中で中断させた場合に、継続した動作を再開できるように裁断システム２０を形成することが、実用上は好ましい。
【００４１】
また、図２では、個別の裁断装置１０、情報処理装置１００、表示装置２００を組み合わせて裁断システム２０を形成したが、裁断装置１０、表示装置２００および情報処理装置１００から任意に選択した複数の要素の機能を一体化して、裁断システム２０を形成することもできる。さらに、すべての要素を一体化して、スタンドアローンで動作する裁断装置にこの裁断システム制御プログラムを実装することもできる。
【００４２】
図６は、裁断システム２０において用いることができる他の形態の裁断装置である、裁断部３４および記録部３２を組み合わせた記録裁断複合装置３０の構造を概観する斜視図である。同図に示すように、この記録裁断複合装置３０は、下段の裁断部３４と、上段の記録部３２とを積層して配置して、単一の筐体３８０により一体とされている。また、上段の記録部３２から下段の裁断部３４に媒体１７０を搬送するリフトトレイ３６０を筐体３８０の前面に備えている。なお、同図の裁断部３４において、図１に示した裁断装置１０と共通の機能を有する部材には、図１と同じ参照符号を付して重複する説明を省いている。
【００４３】
上段の記録部３２では、筐体３８０の後方に装着された給紙トレイ３１０と、搬送ローラ３４０および搬送従動ローラ３４２を含む搬送部と、記録プラテン３５０と、排出従動ローラ３７２を含む排出部とが搬送系を形成している。即ち、媒体１７０としての記録用紙は給紙トレイ３１０に装入され、搬送部により１枚ずつ記録プラテン３５０上に送り込まれ、排出部により筐体３８０の前方に送り出される。
【００４４】
また、記録プラテン３５０の上方には、媒体１７０の搬送方向と直交するように、互いに平行な一対の案内レール３２０、３２２が水平に配置されている。また、案内レール３２０、３２２を自身に挿通され、記録プラテン３５０上で水平に往復移動できる記録キャリッジ３３０が配置されている。なお、記録キャリッジ３３０は、図示されていない駆動手段により駆動される。また、記録キャリッジ３３０は、一対の案内レール３２０、３２２を挿通されているので、前方または後方に傾くことがない。
【００４５】
記録キャリッジ３３０は、上方から搭載されたインクカートリッジ３３２と、下面に懸架された記録ヘッド３３４と共に往復移動する。従って、記録プラテン３５０上の媒体１７０に向かってインクを吐出できる。従って、前記した搬送部による媒体１７０の搬送方向への移動と、記録キャリッジ３３０の往復移動とを組み合わせることにより、媒体１７０の任意の領域にインクを吐出させて画像１７２を記録できる。
【００４６】
上記のような記録部３２で画像１７２を記録された媒体１７０は、排出従動ローラ３７２を含む排出部により、筐体３８０の前面に装着されたリフトトレイ３６０に送り出される。リフトトレイ３６０は、筐体３８０の前面で、筐体３８０に対する角度を一定に保ったまま、上下に昇降できる。これにより、記録部３２において画像１７２を記録された媒体１７０は、下段の裁断部３４の前方に移動される。即ち、リフトトレイ３６０は、記録部３２に対しては排出トレイとして機能し、裁断部３４に対しては装入トレイとして機能する。なお、リフトトレイ３６０を昇降させる機構は筐体３８０に収容されており、連結部３６２を介してリフトトレイ３６０を変位させる。この昇降機構については、図７を参照して後述する。
【００４７】
下段の裁断部３４の内部機構は、図１に示した裁断装置１０の内部機構と略共通である。異なる点は、裁断装置１０の装入トレイ１６０が取り除かれ、降下したリフトトレイ３６０がそれに替わる点である。
【００４８】
図７は、図６に示した記録裁断複合装置３０の動作を説明する模式図であり、図６と共通の構成要素には同じ参照符号を付して重複する説明を省いた。
【００４９】
同図に示すように、リフトトレイ３６０は、その端部に形成されたねじ穴に挿通されたボールねじ３６６により支持されている。また、ボールねじ３６６の下端にはボールねじ駆動部３６４が結合されており、ボールねじ３６６を回転駆動できる。従って、ボールねじ駆動部３６４を適宜動作させることにより、リフトトレイ３６０を、図中に矢印Ｅで示すように、上昇または降下させることができる。
【００５０】
上記のようなリフトトレイ３６０を備えた記録裁断複合装置３０において、当初、給紙トレイ３１０に装入された媒体１７０は、搬送ローラ３４０および搬送従動ローラ３４２に挟まれて、記録プラテン３５０上に送り込まれる。この媒体１７０に対して、記録キャリッジ３３０の下面に装着された記録ヘッド３３４からインクが下方に向かって吐出され、媒体１７０の上面に画像１７２が形成される。
【００５１】
やがて、上面に画像１７２を記録された媒体１７０の先端は排出部に到達し、排出ローラ３７０および排出従動ローラ３７２に挟まれて、排出トレイを兼ねたリフトトレイ３６０上に排出される。媒体１７０がリフトトレイ３６０上に完全に排出されると、ボールねじ駆動部３６４により駆動されたボールねじ３６６が回転して、リフトトレイ３６０が降下する。降下したリフトトレイ３６０が下部搬送部の高さまで降下すると、裁断部３４の搬送ローラ１４０および搬送従動ローラ１４２に挟まれて、媒体１７０は再び筐体３８０内に取り込まれ、裁断プラテン１５０上に搬送される。
【００５２】
こうして裁断部３４に取り込まれた媒体１７０は、カッタ１３２により裁断され、排出ローラ３９０および排出従動ローラ３９２に挟まれて、排出トレイ１１０上に排出される。これらの記録および裁断を経て排出された媒体１７０は、画像１７２を記録され、且つ、裁断されている。
【００５３】
なお、これら裁断部３４における裁断動作は、図１に示した裁断装置１０と同じ動作である。また、説明の便宜上、筐体３８０の前側を搬送部、後方を排出部として記載しているが、ひとつの裁断領域を切り出すためには、媒体１７０を少なくとも１往復させる必要がある。従って、媒体１７０は、筐体３８０の前方に向かっても、後方に向かっても搬送される。また、最終的に裁断を終えた媒体１７０は、筐体３８０の前方に排出させても、後方に排出させても差し支えない。
【００５４】
また、図３の形態における一部区間は、情報処理装置１００から設定された区間であるが、一部区間の設定はこれに限られない。他の例として、カッタ１３２が上昇している状態から下降して、その後にまた上昇するまでの区間でもよい。この場合には、カッタ１３２が下降した媒体１７０上の位置と上昇した位置とを裁断装置１０が情報処理装置１００に送ることにより、情報処理装置１００が裁断された一部区間を割り出し、表示装置２００に表示してもよい。この場合に媒体１７０上のカッタ１３２の位置は、搬送部および排出部による媒体１７０の搬送量と、カッタ１３２のＸ方向の位置とから算出されてもよい。また、当該一部区間は、裁断中の所定時間毎に裁断された区間でもよい。この場合には、所定時間におけるカッタ１３２の媒体１７０上の移動における始点と終点の位置を裁断装置１０が情報処理装置１００に送ることにより、情報処理装置１００が裁断された一部区間を割り出し、表示装置２００に表示してもよい。
【００５５】
以上説明したように、この実施形態に係る裁断システム２０は、裁断装置１０または記録裁断複合装置３０における裁断動作の進捗状況を、表示装置２００に逐次表示する。従って、ユーザは、裁断動作の進捗をリアルタイムで把握することができ、安全且つ容易に、裁断装置１０を操作できる。
【００５６】
以上、本発明を実施の形態を用いて説明したが、本発明の技術的範囲は上記実施の形態に記載の範囲には限定されない。上記実施の形態に、多様な変更または改良を加え得ることは当業者に明らかである。その様な変更または改良を加えた形態が本発明の技術的範囲に含まれ得ることは、特許請求の範囲の記載から明らかである。
【図面の簡単な説明】
【００５７】
【図１】裁断装置１０の全体の形状を示す斜視図。
【図２】裁断装置１０を含む裁断システム２０の構造を模式的に示す図。
【図３】裁断システム２０の制御装置である情報処理装置１００において実行されるプログラムの動作を示す流れ図Ｆ１００。
【図４】裁断システム２０の表示装置２００の画面２１０に表示される表示画像の一例を示す図。
【図５】一時停止処理Ｓ２００の内容を示すフローチャートＦ２００。
【図６】図２に示した裁断システム２０において裁断装置１０に換えて用いることができる他の記録裁断複合装置３０の外観を示す図。
【図７】図６に示す記録裁断複合装置３０の動作を説明する模式図。
【符号の説明】
【００５８】
１０  裁断装置、２０  裁断システム、３０  記録裁断複合装置、３２  記録部、３４  裁断部、１００  情報処理装置、１０２  キーボード、１０４  マウス、１０６  ディスクドライブ、１１０  排出トレイ、１２０、１２２、３２０、３２２  案内レール、１３０  裁断キャリッジ、１３２  カッタ、１４０、３４０  搬送ローラ、１４２、３４２  搬送従動ローラ、１５０  裁断プラテン、１６０  装入トレイ、１７０  媒体、１８０、３８０  筐体、１８２  カバー、２００  表示装置、２１０  画面、２１２  ウインドウ、２１４  裁断情報表示領域、２１６  操作ボタン表示領域、２１７  「一時停止」ボタン、２１８  「キャンセル」ボタン、２２０、２２１  切り抜き画像、２２２  裁断線画像、２２４  既裁断区間画像、３１０  給紙トレイ、３３０  記録キャリッジ、３３２  インクカートリッジ、３３４  記録ヘッド、３５０  記録プラテン、３６０  リフトトレイ、３６２  連結部、３６４  ボールねじ駆動部、３６６  ボールねじ、３７０、３９０  排出ローラ、３７２、３９２  排出従動ローラ
【図１】
2007125627.tif 000003
【図２】
2007125627.tif 000004
【図３】
2007125627.tif 000005
【図４】
2007125627.tif 000006
【図５】
2007125627.tif 000007
【図６】
2007125627.tif 000008
【図７】
2007125627.tif 000009